(57)【要約】【課題】  概ね管状の編組フローダイバーティングステントを提供する。【解決手段】  概ね管状の編組フローダイバーティングステントは、動脈瘤の治療用に交互の丸形及び矩形の細長部材から形成される。概ね管状の編組フローダイバーティングステントは、血管壁の被覆面積を増加させると同時に有意な壁厚を維持する。矩形の細長部材上で丸形の細長部材がスライドすることにより、ステントを血管構造の狭窄部分に送達するための非常に小さな径に圧着することができる。【選択図】  図１
2014176656.tif 000002
【特許請求の範囲】
【請求項１】
動脈瘤治療用の概ね管状の編組フローダイバーティングステントであって、
概ね管状の形状に第１螺旋方向に螺旋状に巻かれた少なくとも１つの第１細長部材であって、実質的に丸い断面形状を有する、少なくとも１つの第１細長部材と、
前記第１螺旋方向とは逆の第２螺旋方向に螺旋状に巻かれ、前記概ね管状の形状に前記少なくとも１つの第１細長部材と共に編まれた少なくとも１つの第２細長部材であって、実質的に平らな径方向外表面を有する、少なくとも１つの第２細長部材と、を備える、概ね管状の編組フローダイバーティングステント。
【請求項２】
前記少なくとも１つの第１細長部材が、実質的に円形の断面形状を有する、請求項１に記載の概ね管状の編組フローダイバーティングステント。
【請求項３】
前記少なくとも１つの第１細長部材が、複数の第１細長部材を含む、請求項１に記載の概ね管状の編組フローダイバーティングステント。
【請求項４】
前記少なくとも１つの第１細長部材が、複数の第１ワイヤを含む、請求項１に記載の概ね管状の編組フローダイバーティングステント。
【請求項５】
前記少なくとも１つの第２細長部材が、第１方向での断面厚さと、前記第１方向での前記断面厚さより実質的に大きい、前記第１方向に垂直な第２方向での断面厚さと、を有する、請求項１に記載の概ね管状の編組フローダイバーティングステント。
【請求項６】
前記少なくとも１つの第２細長部材が、矩形の断面形状を有する、請求項１に記載の概ね管状の編組フローダイバーティングステント。
【請求項７】
前記少なくとも１つの第２細長部材が、複数の第２細長部材を含む、請求項１に記載の概ね管状の編組フローダイバーティングステント。
【請求項８】
前記少なくとも１つの第２細長部材が、複数の第２ワイヤを含む、請求項１に記載の概ね管状の編組フローダイバーティングステント。
【請求項９】
前記少なくとも１つの第１細長部材が、ステンレス鋼、ニッケル−チタン合金、タンタル、コバルト−クロム合金、プラチナ、及びそれらの組み合わせからなる群から選択される材料から形成される、請求項１に記載の概ね管状の編組フローダイバーティングステント。
【請求項１０】
前記少なくとも１つの第１細長部材が、ポリ（Ｄ，Ｌ−乳酸−ｃｏ−グリコール酸）、ポリカプロラクトン、マグネシウム、及びそれらの組み合わせからなる群から選択される生体吸収性材料から形成される、請求項１に記載の概ね管状の編組フローダイバーティングステント。
【請求項１１】
前記少なくとも１つの第２細長部材が、ステンレス鋼、ニッケル−チタン合金、タンタル、コバルト−クロム合金、プラチナ、及びそれらの組み合わせからなる群から選択される材料から形成される、請求項１に記載の概ね管状の編組フローダイバーティングステント。
【請求項１２】
前記少なくとも１つの第２細長部材が、ポリ（Ｄ，Ｌ−乳酸−ｃｏ−グリコール酸）、ポリカプロラクトン、マグネシウム、及びそれらの組み合わせからなる群から選択される生体吸収性材料から形成される、請求項１に記載の概ね管状の編組フローダイバーティングステント。
【請求項１３】
前記複数の第１細長部材の少なくとも一部が、生体吸収性材料を含む、請求項３に記載の概ね管状の編組フローダイバーティングステント。
【請求項１４】
前記複数の第２細長部材の少なくとも一部が、生体吸収性材料を含む、請求項７に記載の概ね管状の編組フローダイバーティングステント。
【請求項１５】
前記少なくとも１つの第１細長部材が、放射線不透過性材料から形成される、請求項１に記載の概ね管状の編組フローダイバーティングステント。
【請求項１６】
前記少なくとも１つの第２細長部材が、放射線不透過性材料から形成される、請求項１に記載の概ね管状の編組フローダイバーティングステント。
【請求項１７】
動脈瘤治療用の概ね管状の編組フローダイバーティングステントであって、
概ね管状の形状に第１螺旋方向に螺旋状に巻かれた複数の第１細長部材であって、実質的に丸い断面形状を有する、複数の第１細長部材と、
前記複数の第１細長部材間にそれぞれ交互に前記概ね管状の形状に前記第１螺旋方向に螺旋状に巻かれた複数の第２細長部材であって、実質的に平らな径方向外表面を有する、複数の第２細長部材と、
前記第１螺旋方向とは逆の第２螺旋方向に螺旋状に巻かれ、前記概ね管状の形状に前記複数の第１細長部材と前記複数の第２細長部材と共に編まれた複数の第３細長部材であって、実質的に丸い断面形状を有する、複数の第３細長部材と、
前記第１螺旋方向とは逆の第２螺旋方向に螺旋状に巻かれ、前記複数の第３細長部材間に交互に前記概ね管状の形状に前記複数の第１細長部材と前記複数の第２細長部材と共に編まれた複数の第４細長部材であって、実質的に平らな径方向外表面を有する、複数の第４細長部材と、を備える、概ね管状の編組フローダイバーティングステント。
【請求項１８】
前記複数の第１細長部材及び前記複数の第３細長部材がそれぞれ、実質的に円形の断面形状を有する、請求項１７に記載の概ね管状の編組フローダイバーティングステント。
【請求項１９】
前記複数の第２細長部材及び前記複数の第４細長部材がそれぞれ、第１方向での断面厚さと、前記第１方向での前記断面厚さより実質的に大きい、前記第１方向に垂直な第２方向での断面厚さと、を有する、請求項１７に記載の概ね管状の編組フローダイバーティングステント。
【請求項２０】
前記複数の第２細長部材及び前記複数の第４細長部材がそれぞれ、矩形の断面形状を有する、請求項１７に記載の概ね管状の編組フローダイバーティングステント。
【請求項２１】
前記複数の第１、第２、第３、及び第４細長部材が、ステンレス鋼、ニッケル−チタン合金、タンタル、コバルト−クロム合金、プラチナ、及びそれらの組み合わせからなる群から選択される材料から形成される、請求項１７に記載の概ね管状の編組フローダイバーティングステント。
【請求項２２】
前記複数の第１、第２、第３、及び第４細長部材の少なくとも一部が、ポリ（Ｄ，Ｌ−乳酸−ｃｏ−グリコール酸）、ポリカプロラクトン、マグネシウム、及びそれらの組み合わせからなる群から選択される生体吸収性材料から形成される、請求項１７に記載の概ね管状の編組フローダイバーティングステント。
【請求項２３】
前記複数の第１、第２、第３、及び第４細長部材の少なくとも一部が、放射線不透過性材料から形成される、請求項１７に記載の概ね管状の編組フローダイバーティングステント。
【発明の詳細な説明】
【技術分野】
【０００１】
本発明は、概して、動脈瘤の治療に使用可能な血管インプラントに関し、より詳細には、頭蓋内動脈瘤の入口、つまりネックから離れる方向に血流をそらすために、又は紡錘状動脈瘤を通過する新たな管腔流路を画定するために、このような動脈瘤内に塞栓用コイルを送達する代替手段又は補足として、フラット−ラウンド技術を用いる編組フローダイバータに関する。
【背景技術】
【０００２】
編組ステントは、通常、複数の細長部材、例えば、２つ又は３つ以上の金属ワイヤ、又は高分子繊維若しくは材料のストランドなどから形成され、神経血管障害の治療に非常に有用なことがある。編組フローダイバーティングステントは、一般に円形ワイヤから構成される。このような編組フローダイバーティングステントの形成における円形ワイヤの使用は、通常、その構成体に最大壁厚をもたらすが、このような編組フローダイバーティングステントによりもたらされる血管被覆面積は最大にならない。すべて矩形断面ワイヤから構成された編組ステントは、血管壁の被覆面積を最大にできるが、壁厚を最小にする。また、矩形断面ワイヤは、通常、同等の円形ワイヤより互いにスライドしにくいため、すべて矩形断面ワイヤから製造された編組ステントは、通常、円形ワイヤから構成された同等の編組フローダイバーティングステントより限定的な送達用最小圧着径を有する。
【発明の概要】
【発明が解決しようとする課題】
【０００３】
すべて矩形断面ワイヤから形成された又はすべて円形ワイヤから形成された編組フローダイバーティングステントと比べて、軸流途絶特性、壁被覆、及び壁厚の改善された包括的組み合わせを有する編組フローダイバーティングステントを提供することが望ましいであろう。また、円形ワイヤから構成された編組フローダイバーティングステントで達成可能な送達用最小圧着径に匹敵する、送達用最小圧着径に圧着可能な編組フローダイバーティングステントを提供することも望ましいであろう。本発明はこれら及び他の必要性を満たす。
【課題を解決するための手段】
【０００４】
簡潔かつ一般的に言うと、本発明は、動脈瘤治療用の、交互の丸形の及び矩形の細長部材から形成された、概ね管状の編組フローダイバーティングステントを提供する。概ね管状の編組フローダイバーティングステントは、頭蓋内動脈瘤のネックから離れる方向に血流を変えるために、又は紡錘状動脈瘤を通過する新たな管腔流路を画定するために、用いられ得る。概ね管状の編組フローダイバーティングステントは、血管壁の被覆面積を増加させると同時に有意な壁厚を維持する。また、矩形の細長部材上で丸形の細長部材がスライドすることにより、非常に小さな圧着径がもたらされ、血管構造の狭窄部分に編組フローダイバーティングステントを送達することができる。同等の被覆血管壁を有する、円形ワイヤのみを使用する編組ステントと比べて、全壁厚は低減される。同等の被覆血管壁の、平坦ワイヤのみを使用する編組と比べて、軸流途絶は改善される。
【０００５】
したがって、本発明は、実質的に丸い断面形状を有し、概ね管状の形状に第１螺旋方向に螺旋状に巻かれた、１つ又は２つ以上の第１細長部材と、実質的に平らな径方向外表面を有し、第１螺旋方向とは逆の第２螺旋方向に螺旋状に巻かれ、概ね管状の形状に１つ又は２つ以上の第１細長部材と共に編まれた１つ又は２つ以上の第２細長部材と、を備える、動脈瘤治療用の概ね管状の編組フローダイバーティングステントを提供する。現時点で好ましい態様では、１つ又は２つ以上の第１細長部材は、実質的に円形の断面形状を有する。別の現時点で好ましい態様では、１つ又は２つ以上の第２細長部材は、第１方向での断面厚さと、第１方向での断面厚さより実質的に大きい、第１方向に垂直な第２方向での断面厚さと、を有する。別の現時点で好ましい態様では、１つ又は２つ以上の第２細長部材は、矩形の断面形状を有する。別の現時点で好ましい態様では、複数の第１細長部材は、例えば、複数の第１ワイヤなどとして提供され、複数の第２細長部材は、複数の第２ワイヤなどとして提供される。
【０００６】
別の現時点で好ましい態様では、１つ又は２つ以上の第１細長部材及び１つ又は２つ以上の第２細長部材は、ステンレス鋼、ニッケル−チタン合金、タンタル、コバルト−クロム合金、プラチナ、又はそれらの組み合わせなどの材料から形成され得る。別の現時点で好ましい態様では、複数の第１細長部材の少なくとも一部は、生体吸収性材料から形成される。別の現時点で好ましい態様では、複数の第２細長部材の少なくとも一部は、生体吸収性材料を含む。別の現時点で好ましい態様では、１つ又は２つ以上の第１細長部材及び１つ又は２つ以上の第２細長部材の少なくとも一部は、ポリ（Ｄ，Ｌ−乳酸−ｃｏ−グリコール酸）、ポリカプロラクトン、マグネシウム、又はそれらの組み合わせなどの生体吸収性材料から形成され得る。別の現時点で好ましい態様では、第１及び第２細長部材の一部は、必要に応じて、蛍光透視検査などの画像検査法で誘導を容易にするために、放射線不透過性材料から製造され得る。
【０００７】
別の実施形態では、本発明は、実質的に丸い断面形状を有し、概ね管状の形状に第１螺旋方向に螺旋状に巻かれた、複数の第１細長部材と、実質的に平らな径方向外表面を有し、複数の第１細長部材間にそれぞれ交互に概ね管状の形状に第１螺旋方向に螺旋状に巻かれた、複数の第２細長部材と、実質的に丸い断面形状を有し、第１螺旋方向とは逆の第２螺旋方向に螺旋状に巻かれ、概ね管状の形状に複数の第１細長部材と複数の第２細長部材と共に編まれた複数の第３細長部材と、実質的に平らな径方向外表面を有し、第１螺旋方向とは逆の第２螺旋方向に螺旋状に巻かれ、複数の第３細長部材間に交互に概ね管状の形状に複数の第１細長部材と複数の第２細長部材と共に編まれた複数の第４細長部材と、を備える、動脈瘤治療用の概ね管状の編組フローダイバーティングステントを提供する。
【０００８】
現時点で好ましい態様では、複数の第１細長部材及び複数の第３細長部材はそれぞれ、実質的に円形の断面形状を有する。別の現時点で好ましい態様では、複数の第２細長部材及び複数の第４細長部材はそれぞれ、第１方向での断面厚さと、第１方向での断面厚さより実質的に大きい、第１方向に垂直な第２方向での断面厚さと、を有する。別の現時点で好ましい態様では、複数の第２細長部材及び複数の第４細長部材はそれぞれ、矩形の断面形状を有する。
【０００９】
別の現時点で好ましい態様では、複数の第１、第２、第３、及び第４細長部材は、ステンレス鋼、ニッケル−チタン合金、タンタル、コバルト−クロム合金、プラチナ、又はそれらの組み合わせから形成され得る。別の現時点で好ましい態様では、複数の第１、第２、第３、及び第４細長部材の少なくとも一部は、ポリ（Ｄ，Ｌ−乳酸−ｃｏ−グリコール酸）、ポリカプロラクトン、マグネシウム、又はそれらの組み合わせからなる群から選択される生体吸収性材料から形成され得る。別の現時点で好ましい態様では、第１、第２、第３、及び第４細長部材の一部は、必要に応じて、蛍光透視検査などの画像検査法で誘導を容易にするために、放射線不透過性材料から製造され得る。
【００１０】
本発明の他の特徴及び利点は、例として本発明の操作を例示する付属の図と共に好ましい実施形態の以下の詳細な説明から、より明らかとなるであろう。
【図面の簡単な説明】
【００１１】
【図１】本発明による編組フローダイバーティングステントの第１実施形態の立断面概略図である。
【図２】本発明による編組フローダイバーティングステントの第２実施形態の立断面概略図である。
【図３】図１の線３−３に沿った断面図である。
【図４】図１の線４−４に沿った断面図である。
【図５】図１の線５−５に沿った断面図である。
【図６】比較のために実質的に円形ワイヤのみから構成された代表的な編組フローダイバーティングステントの、図５と同様の断面図である。
【発明を実施するための形態】
【００１２】
図１に示した第１実施形態において制限する目的でなく例として提供される図を参照すると、本発明は、近位端１２、遠位端１４、及び内腔（図示せず）を有する、動脈瘤治療用の概ね管状の編組フローダイバーティングステント１０を提供する。概ね管状の編組フローダイバーティングステントは、好ましくは複数の細長部材から形成され、通常、例えば、２つ又は３つ以上の金属ワイヤ、又は高分子繊維若しくは材料のストランドから形成される。現時点で好ましい態様では、管状編組ステントは、必要に応じて、圧縮形態及び拡張形態を有するように形成された自己拡張型ステントであってもよい。別の現時点で好ましい態様では、管状編組ステントは、必要に応じて、拡張形態で形状記憶姿勢を有する形状記憶材料、例えば、ニッケル−チタン合金などから形成され得る。例えば、管状編組ステントは、管状編組ステントが、拡張した形状記憶姿勢の所望の形状を形成するように、適切に熱処理され得る。
【００１３】
概ね管状の編組フローダイバーティングステントは、概ね管状の形状に第１螺旋方向に螺旋状に巻かれた１つ又は２つ以上の第１細長部材１８と、第１螺旋方向とは逆の第２螺旋方向に螺旋状に巻かれ、概ね管状の形状に１つ又は２つ以上の第１細長部材と共に編まれた１つ又は２つ以上の第２細長部材２０と、を備える。
【００１４】
図４を参照すると、１つ又は２つ以上の第１細長部材は、好ましくは実質的に丸い断面形状、例えば、実質的に円形の断面形状などを有するが、１つ又は２つ以上の第１細長部材は、必要に応じて、実質的に楕円形の断面形状を有してもよい。また、１つ又は２つ以上の第１細長部材は、好ましくは複数の第１細長部材、例えば、複数の第１ワイヤなどから形成される。図１に示したように、概ね管状の編組フローダイバーティングステントは、右巻き螺旋方向に螺旋状に巻かれた円形ワイヤと、左巻き螺旋方向に螺旋状に巻かれた平角ワイヤとで形成されてもよい。
【００１５】
図３を参照すると、１つ又は２つ以上の第２細長部材は、好ましくは実質的に平らな径方向外表面を有する。別の現時点で好ましい態様では、１つ又は２つ以上の第２細長部材は、通常、第１方向での断面高さ、つまり厚さＨと、第１方向での断面高さ、つまり厚さより実質的に大きい、第１方向に垂直な第２方向での断面幅、つまり厚さＷと、を有し、通常、例えば、概ね矩形の又は平坦な外観を有する。また、１つ又は２つ以上の第２細長部材は、好ましくは複数の第２細長部材、例えば、複数の第２ワイヤなどから形成される。１つ又は２つ以上の第１細長部材及び１つ又は２つ以上の第２細長部材は、好ましくは、ステンレス鋼、ニッケル−チタン合金、タンタル、コバルト−クロム合金、プラチナなどの材料から、又は形状記憶高分子などの高分子、若しくはポリ（Ｄ，Ｌ−乳酸−ｃｏ−グリコール酸）（ＰＧＬＡ）、ポリカプロラクトン（ＰＣＬ）などの生体吸収性材料、又はそれらの組み合わせから形成される。現時点で好ましい態様では、使用される細長部材の一部又は全部は、生体吸収性材料から構成される。別の現時点で好ましい態様では、細長部材の一部又は全部は、必要に応じて、蛍光透視検査などの画像検査法で誘導を容易にするために、放射線不透過性材料から製造され得る。
【００１６】
図５及び６を参照すると、図５に示した、実質的に丸い断面形状を有する１つ又は２つ以上の第１細長部材と、実質的に平らな径方向外表面を有する１つ又は２つ以上の第２細長部材と、を用いて形成された、本発明による概ね管状の編組フローダイバーティングステントの全壁厚は、図６に示した、同等の被覆血管壁を有し、すべて円形ワイヤから形成された、概ね管状の編組フローダイバーティングステントの壁の厚さの積み重ねに比べて低減される。
【００１７】
第１実施形態の概ね管状の編組フローダイバーティングステントの製造方法では、編組機は、すべての右巻き螺旋位置に円形ワイヤのボビンと、すべての左巻き螺旋位置に平角ワイヤのボビンと、を装填し得る。反対に、編組機は、例えば、すべての左巻き螺旋位置に円形ワイヤのボビンと、すべての右巻き螺旋位置に平角ワイヤのボビンと、を装填し得る。
【００１８】
同様の要素が同様の参照番号で示される、図２に示した第２実施形態では、本発明は、動脈瘤治療用の概ね管状の編組フローダイバーティングステント３０を提供する。管状編組フローダイバーティングステントは、近位端３２、遠位端３４、及び内腔（図示せず）を有し、好ましくは複数の細長部材から形成され、通常、例えば、２つ又は３つ以上の金属ワイヤ、又は高分子繊維若しくは材料のストランドから形成される。現時点で好ましい一態様では、管状編組ステントは、必要に応じて、圧縮形態及び拡張形態を有するように形成された自己拡張型ステントであってもよい。管状編組フローダイバーティングステントは、拡張形態で形状記憶姿勢を有する形状記憶材料、例えば、ニッケル−チタン合金などから形成され得る。例えば、管状編組フローダイバーティングステントは、管状編組フローダイバーティングステントが、拡張した形状記憶姿勢の所望の形状を形成するように、適切に熱処理され得る。
【００１９】
第２実施形態の概ね管状の編組フローダイバーティングステントは、好ましくは、概ね管状の形状に第１螺旋方向に螺旋状に巻かれた複数の第１細長部材３８と、複数の第１細長部材間に交互に概ね管状の形状に第１螺旋方向に螺旋状に巻かれた複数の第２細長部材４０と、第１螺旋方向とは逆の第２螺旋方向に螺旋状に巻かれ、概ね管状の形状に複数の第１細長部材と複数の第２細長部材と共に編まれた複数の第３細長部材４２と、第１螺旋方向とは逆の第２螺旋方向に螺旋状に巻かれ、複数の第３細長部材間に交互に概ね管状の形状に複数の第１細長部材と複数の第２細長部材と共に編まれた、複数の第４細長部材４４と、を備える。例えば、図２に示したように、概ね管状の編組フローダイバーティングステントは、右巻き及び左巻き螺旋方向の両方に螺旋状に巻かれた交互の円形ワイヤ及び平角ワイヤで形成され得る。
【００２０】
図４を参照すると、複数の第１細長部材は、好ましくは実質的に丸い断面形状、例えば、実質的に円形の断面形状などを有するが、１つ又は２つ以上の第１細長部材は、必要に応じて、実質的に楕円形の断面形状を有してもよく、例えば、複数の第１ワイヤで形成され得る。
【００２１】
図３を参照すると、複数の第２細長部材は、好ましくは実質的に平らな径方向外表面を有する。別の現時点で好ましい態様では、１つ又は２つ以上の第２細長部材は、通常、第１方向での断面高さ、つまり厚さＨと、第１方向での断面高さ、つまり厚さより実質的に大きい、第１方向に垂直な第２方向での断面幅、つまり厚さＷと、を有し、通常、概ね矩形の又は平坦な外観を有し、例えば、複数のワイヤで形成され得る。
【００２２】
図４を参照すると、複数の第３細長部材は、好ましくは実質的に丸い断面形状、例えば、実質的に円形の断面形状などを有するが、１つ又は２つ以上の第１細長部材は、必要に応じて、実質的に楕円形の断面形状を有してもよく、例えば、複数のワイヤで形成され得る。
【００２３】
図３を参照すると、複数の第４細長部材は、好ましくは実質的に平らな径方向外表面を有する。別の現時点で好ましい態様では、１つ又は２つ以上の第４細長部材は、通常、第１方向での断面高さ、つまり厚さＨと、第１方向での断面高さ、つまり厚さより実質的に大きい、第１方向に垂直な第２方向での断面幅、つまり厚さＷと、を有し、通常、概ね矩形の又は平坦な外観を有し、例えば、複数のワイヤで形成され得る。
【００２４】
複数の第１、第２、第３、及び第４細長部材は、好ましくは、ステンレス鋼、ニッケル−チタン合金、タンタル、コバルト−クロム合金、プラチナなどからなる群から選択される材料から、又は形状記憶高分子などの高分子、若しくはポリ（Ｄ，Ｌ−乳酸−ｃｏ−グリコール酸）（ＰＧＬＡ）、ポリカプロラクトン（ＰＣＬ）などの生体吸収性材料、及びそれらの組み合わせから形成される。現時点で好ましい態様では、使用される細長部材の一部又は全部は、生体吸収性材料から構成される。別の現時点で好ましい態様では、細長部材の一部又は全部は、必要に応じて、蛍光透視検査などの画像検査法で誘導を容易にするために、放射線不透過性材料から製造され得る。
【００２５】
第２実施形態の概ね管状の編組フローダイバーティングステントの製造方法では、編組機は、右巻き及び左巻き螺旋位置の両方に丸形及び平角ワイヤのボビンを交互に装填し得る。
【００２６】
上述の内容から、本発明の具体的な形態が図示され説明されているが、本発明の趣旨及び範囲を逸脱することなく、様々な修正が可能であることは明らかとなる。したがって、本発明は、添付の「特許請求の範囲」によるものを除き、限定されないことが意図されている。
【００２７】
〔実施の態様〕
（１）  動脈瘤治療用の概ね管状の編組フローダイバーティングステントであって、
概ね管状の形状に第１螺旋方向に螺旋状に巻かれた少なくとも１つの第１細長部材であって、実質的に丸い断面形状を有する、少なくとも１つの第１細長部材と、
前記第１螺旋方向とは逆の第２螺旋方向に螺旋状に巻かれ、前記概ね管状の形状に前記少なくとも１つの第１細長部材と共に編まれた少なくとも１つの第２細長部材であって、実質的に平らな径方向外表面を有する、少なくとも１つの第２細長部材と、を備える、概ね管状の編組フローダイバーティングステント。
（２）  前記少なくとも１つの第１細長部材が、実質的に円形の断面形状を有する、実施態様１に記載の概ね管状の編組フローダイバーティングステント。
（３）  前記少なくとも１つの第１細長部材が、複数の第１細長部材を含む、実施態様１に記載の概ね管状の編組フローダイバーティングステント。
（４）  前記少なくとも１つの第１細長部材が、複数の第１ワイヤを含む、実施態様１に記載の概ね管状の編組フローダイバーティングステント。
（５）  前記少なくとも１つの第２細長部材が、第１方向での断面厚さと、前記第１方向での前記断面厚さより実質的に大きい、前記第１方向に垂直な第２方向での断面厚さと、を有する、実施態様１に記載の概ね管状の編組フローダイバーティングステント。
【００２８】
（６）  前記少なくとも１つの第２細長部材が、矩形の断面形状を有する、実施態様１に記載の概ね管状の編組フローダイバーティングステント。
（７）  前記少なくとも１つの第２細長部材が、複数の第２細長部材を含む、実施態様１に記載の概ね管状の編組フローダイバーティングステント。
（８）  前記少なくとも１つの第２細長部材が、複数の第２ワイヤを含む、実施態様１に記載の概ね管状の編組フローダイバーティングステント。
（９）  前記少なくとも１つの第１細長部材が、ステンレス鋼、ニッケル−チタン合金、タンタル、コバルト−クロム合金、プラチナ、及びそれらの組み合わせからなる群から選択される材料から形成される、実施態様１に記載の概ね管状の編組フローダイバーティングステント。
（１０）  前記少なくとも１つの第１細長部材が、ポリ（Ｄ，Ｌ−乳酸−ｃｏ−グリコール酸）、ポリカプロラクトン、マグネシウム、及びそれらの組み合わせからなる群から選択される生体吸収性材料から形成される、実施態様１に記載の概ね管状の編組フローダイバーティングステント。
【００２９】
（１１）  前記少なくとも１つの第２細長部材が、ステンレス鋼、ニッケル−チタン合金、タンタル、コバルト−クロム合金、プラチナ、及びそれらの組み合わせからなる群から選択される材料から形成される、実施態様１に記載の概ね管状の編組フローダイバーティングステント。
（１２）  前記少なくとも１つの第２細長部材が、ポリ（Ｄ，Ｌ−乳酸−ｃｏ−グリコール酸）、ポリカプロラクトン、マグネシウム、及びそれらの組み合わせからなる群から選択される生体吸収性材料から形成される、実施態様１に記載の概ね管状の編組フローダイバーティングステント。
（１３）  前記複数の第１細長部材の少なくとも一部が、生体吸収性材料を含む、実施態様３に記載の概ね管状の編組フローダイバーティングステント。
（１４）  前記複数の第２細長部材の少なくとも一部が、生体吸収性材料を含む、実施態様７に記載の概ね管状の編組フローダイバーティングステント。
（１５）  前記少なくとも１つの第１細長部材が、放射線不透過性材料から形成される、実施態様１に記載の概ね管状の編組フローダイバーティングステント。
【００３０】
（１６）  前記少なくとも１つの第２細長部材が、放射線不透過性材料から形成される、実施態様１に記載の概ね管状の編組フローダイバーティングステント。
（１７）  動脈瘤治療用の概ね管状の編組フローダイバーティングステントであって、
概ね管状の形状に第１螺旋方向に螺旋状に巻かれた複数の第１細長部材であって、実質的に丸い断面形状を有する、複数の第１細長部材と、
前記複数の第１細長部材間にそれぞれ交互に前記概ね管状の形状に前記第１螺旋方向に螺旋状に巻かれた複数の第２細長部材であって、実質的に平らな径方向外表面を有する、複数の第２細長部材と、
前記第１螺旋方向とは逆の第２螺旋方向に螺旋状に巻かれ、前記概ね管状の形状に前記複数の第１細長部材と前記複数の第２細長部材と共に編まれた複数の第３細長部材であって、実質的に丸い断面形状を有する、複数の第３細長部材と、
前記第１螺旋方向とは逆の第２螺旋方向に螺旋状に巻かれ、前記複数の第３細長部材間に交互に前記概ね管状の形状に前記複数の第１細長部材と前記複数の第２細長部材と共に編まれた複数の第４細長部材であって、実質的に平らな径方向外表面を有する、複数の第４細長部材と、を備える、概ね管状の編組フローダイバーティングステント。
（１８）  前記複数の第１細長部材及び前記複数の第３細長部材がそれぞれ、実質的に円形の断面形状を有する、実施態様１７に記載の概ね管状の編組フローダイバーティングステント。
（１９）  前記複数の第２細長部材及び前記複数の第４細長部材がそれぞれ、第１方向での断面厚さと、前記第１方向での前記断面厚さより実質的に大きい、前記第１方向に垂直な第２方向での断面厚さと、を有する、実施態様１７に記載の概ね管状の編組フローダイバーティングステント。
（２０）  前記複数の第２細長部材及び前記複数の第４細長部材がそれぞれ、矩形の断面形状を有する、実施態様１７に記載の概ね管状の編組フローダイバーティングステント。
【００３１】
（２１）  前記複数の第１、第２、第３、及び第４細長部材が、ステンレス鋼、ニッケル−チタン合金、タンタル、コバルト−クロム合金、プラチナ、及びそれらの組み合わせからなる群から選択される材料から形成される、実施態様１７に記載の概ね管状の編組フローダイバーティングステント。
（２２）  前記複数の第１、第２、第３、及び第４細長部材の少なくとも一部が、ポリ（Ｄ，Ｌ−乳酸−ｃｏ−グリコール酸）、ポリカプロラクトン、マグネシウム、及びそれらの組み合わせからなる群から選択される生体吸収性材料から形成される、実施態様１７に記載の概ね管状の編組フローダイバーティングステント。
（２３）  前記複数の第１、第２、第３、及び第４細長部材の少なくとも一部が、放射線不透過性材料から形成される、実施態様１７に記載の概ね管状の編組フローダイバーティングステント。
【図１】
2014176656.tif 000003
【図２】
2014176656.tif 000004
【図３】
2014176656.tif 000005
【図４】
2014176656.tif 000006
【図５】
2014176656.tif 000007
【図６】
2014176656.tif 000008
【外国語明細書】
2014176656000001.pdf